(57)【要約】海洋での魚類捕獲量を増大する方法は、海洋表面を肥沃にすることであり、短期間の植物性プランクトン発生（bloom）を起こさせ、これが魚類誘導装置（ＦＡＤ）を形成する。このＦＡＤは、魚類を予定の魚類捕獲ボート領域に誘導して魚類捕獲のための労力を軽減する。このブルームは、キレート化鉄イオン肥料を海洋表面に短期間添加することにより形成され、約１月乃至約２月持続する。【特許請求の範囲】
【請求項１】
大洋中の魚獲を増強する方法であって、
（１）大洋表面の領域をテストして、各多量栄養素（macronutrient）が、植物プランクトンの生産が可能な第1の設定レベルにあることを確認する工程と、
（２）大洋表面の領域をテストして、第１の微量栄養素（micronutrient）が、植物プランクトンの生産を制限する第２の設定レベルで存在することを確認する工程と、
（３）大洋表面の領域をテストして、滲透度（rate of diffusion）が植物プランクトンのパッチ（patch）の生産を可能な第３の所定のレベルであることを確認する工程と、
（４）上記第1の微量栄養素を備えた肥料を施して、大洋表面の領域において植物プランクトンのパッチを作る工程と、
（５）このパッチの下側及び領域内で、魚を収穫する工程と、
を具備した方法。
【請求項２】
請求項１の方法において、上記肥料は適量の上記第1の微量栄養素を、植物プランクトン対して有効に働く形態で放出して、上記第1の微量栄養素が、沈澱により相当量上記大洋表面の領域の太陽光線が届く領域（photic zone）から離れることのないようにする方法。
【請求項３】
請求項１の方法において、上記パッチは、約２５平方マイル（６４．７５ｋｍ２）から１２５平方マイル（３２３．７５ｋｍ２）の間の大きさにある方法。
【請求項４】
請求項１の方法において、上記第３の設定レベルは、１日当り６．７平方マイル（１７．３５ｋｍ２）以下である方法。
【請求項５】
請求項１の方法において、上記肥料はキレート化合物を含有している方法。
【請求項６】
請求項２の方法において、上記キレート化合物はリグニン酸サルファネートを含有している方法。
【請求項７】
請求項１の方法において、上記第1の肥料は、僅少のミネラル類を含有している方法。
【請求項８】
請求項１の方法において、更にサンプリングの行動の中に適量の魚をパッチの内側とパッチの外側の両方から魚の量をサンプリングする工程を備えている方法。
【請求項９】
大洋中の魚獲を増強する方法であって、
（１）大洋表面の領域をテストして、各多量栄養素（macronutrient）が、植物プランクトンの生産が可能な第1の設定レベルにあることを確認する工程と、
（２）大洋表面の領域をテストして、第１の微量栄養素（first micronutrient）が、植物プランクトンの生産を制限する第２の設定レベルで存在することを確認する工程と、
（３）大洋表面の領域をテストして、滲透度（rate of diffusion）が植物プランクトンのパッチ（patch）の生産を可能な第３の所定のレベルであることを確認する工程と、
（４）大要表面の領域をサンプリングして、魚の濃度を決定する工程と、
（５）上記第1の微量栄養素を備えた肥料を施して、大洋表面の領域において植物プランクトンのパッチを作る工程と、
（６）このパッチの下側及び領域内で、魚を収穫する工程と、
を具備した方法。
【請求項１０】
請求項９の方法において、サンプリングする工程を繰返す方法。
【請求項１１】
第1の肥料を施して、大洋表面の領域に、植物プランクトンのパッチを作る工程を具備する魚誘導装置を作る方法であって、上記第1の肥料は微量栄養素を含有し、上記パッチは約２５平方マイル（６４．７５ｋｍ２）から１２５平方マイル（３２３．７５ｋｍ２）の間の大きさにある方法。
【発明の詳細な説明】
【技術分野】
【０００１】
本発明の狙いは、大洋中の魚群を所期の特定海域に誘導して、魚業に費す労務、費用からの見返りを増強する点にある。
【背景技術】
【０００２】
大洋中で魚類の捕獲に要するコストの約２／３は、魚群を探知するための経費であり、後の１／３が探知した魚群の捕獲とその処理に要する費用である。この故に、漁師達のプライドは、綱であれ、網であれ、いっぱいに水あげを得ることにあり、だから何処に魚群が潜在するかを知ることが重要である。回游魚群の捕獲時や遠洋漁業で漁師達がよく用いる一つの方法は、よき餌ないし友釣に類する漁法である。然しこれはかなり高価につき、而も短時間しか効かない。漁師達は、魚群が海草の繁茂するフローティングパッチの下やドックや浮游物の下部海域に集合して来ることを認知して今日に至っている。実は、このことがＦＡＤｓと称する魚群をおびき寄せる装置の利用に繋って来た。この装置は約１００〜２００ｆｔ2 の広さを持つ浮游体で、それが海洋中で魚類を呼込む或種の陰影を放射して、そこに魚群が集まるという道理に基づくものである。このＦＡＤｓは１ヶでは小さいので、複数を配置して使用し、魚群処理器により捕獲した魚群を回収することが必要である。
【発明の開示】
【０００３】
大きなＦＡＤ（Fish Attractive Device−魚を呼び込む装置）は、海洋の表面に肥料を投入することにより、植物プランクトンがかなり濃密に生息する海域を形成させ、安価なパッチ（群生領域）が得られるようになった。このような生物学的ＦＡＤパッチは、生成後、約１〜２ヶ月間、命脈を保持すると思われる。
【０００４】
海洋中で魚獲量を増強させる方途の一つは、凡そ次のステップから構成されるであろう。（１）或海域の表面をテストして各多量栄養素が予め制定しておいた第１レベルの濃度で存在し、それにより植物プランクトンが成長を促進される状態にあることを確認する。（２）その海域の表面をテストし、第１の微量栄養素が植物プランクトンの成長を制限する第２の制定レベルで存在することを確認する。（３）その対象海面をテストして、そこの浸透度（rate of diffusion）が第３の制定レベル内にあり、その故に植物プランクトンのパッチを生成するに適当なことを確認する。（４）その海域の表面において、植物プランクトンのパッチを生成させるため或限られた多量栄養素から成る肥料を散布する、そして（５）パッチの領域の下部及び内部の魚類を捕獲する。
【０００５】
大洋中でＦＤＡを製作する方法としては凡そ次の手順で推進されるであろう。：（１）大洋中の海面水をテストし、各栄養分が欠落しているか、又は或限定域の濃度内にあるかを見定める。：（２）肥料を投入すれば、上記各栄養分が欠落せず、又限度内にある場合でも各要素が植物プランクトンに有益な状態で残存し、而も太陽光線が届く領域（photic zone）から肥料の沈澱等により有意のレベルでは消失しないことを見届けた上で、更なる措置をとる。：（３）次には大洋中の対象海域の位置が重要となる。その要点は、当該海域の水流が横にも縦にも早過ぎる動きや運動することなく（水流の滲透係数が１日当り６．７平方マイル以下でなければならない）、その海域の位置が遠洋性ないし回游性の魚群に適した公海であることが条件である。海洋に於いては、光合成反応を促進するに足る充分な陽光量が、海面下わずか約１００〜２００ｍの水深海域にしか存在しない。太陽光線が届く領域（photic zone）なる単語はこの海域を示唆するためにだけ使用され、この水域でのみ光学合成反応が進行するのである。この太陽光線が届く領域（photic zone）の下部には、太陽光線が届かない領域（aphotic zone）なる海域があるが、ここには最早、光合成反応を促進するに足る光量は存在しない。
【０００６】
或栄養分が一定の低域濃度でしか存在しないのは、抑々その海域に於ける水中の栄養分の含有レベルが低いために植物プランクトンの生長がかなりの程度に迄低限されているからである。従って、このような栄養分の低域ゾーンが必要とする適正補正量は、当然太陽光線が届く領域（photic zone）に於いてその養分濃度をあげるために必要とする量と合致する訳である。何故なら太陽光線が届く領域（photic zone）に於いて、その養分濃度の不足により植物プランクトンの群生域（bloom）の生長が相当量減殺されることが解消するからである。多くの場合、海域中で不足がちの栄養分は鉄である。斯くて、本発明が所望する肥料とはキレート化された鉄分である。そのキレート化された鉄分とは、リグニン酸サルフォネート（lignin acid sulfonate）を含むものである。
【０００７】
滲透係数（diffusion rate）は海洋中で変化するものである。然し本発明の実施は、望ましくは、魚群がおびき寄せられて対象のパッチを散乱される以前に、それ程急激には混り合ない海域で機先を制して済せておくべきであろう。
【０００８】
やがて紛失するであろう、微量栄養素の適量は植物プランクトンの成育を促すものである故に、本質的には海水中に於いて、多量栄養素よりも余計にあるべきであり、それは通常硝酸塩、燐酸塩、そして珪酸塩である。
【０００９】
パッチ領域内の単位体積当りの海域に集合して来る魚群の数量は、当然最も適正なパッチの大きさを決定するための因子として利用されている。若しパッチが適正サイズより大きければ、単位体積当りの見返り（水あげ）が減少することになり、仮に小さ過ぎても魚群を採算的に有利に捕獲出来る以前に、魚群の混在や相互の摩擦によりパッチを台無しにしてしまうであろう。
【００１０】
肥料を投与したパッチの環境上の効能も注目され始めている。キレート化された鉄分肥料は、人間のダイエット食品の素材として活用されると共に、陸上のガーデニング用鉄分肥料としても重宝されて来た。植物プランクトンはキレート化合物を海水中に分泌するので、その結果、プラントの生長に必要なクロロフィルを生成し、必要な鉄分を海水中に補充し続けるのである。キレート化された鉄分は、海水中で約４０日間寿命を保持するので、パッチを改修する必要はない。その代り新しいパッチを新海域に設営する要が生ずる。
【発明を実施するための最良の形態】
【００１１】
海洋の表面に肥料を散布して、植物プランクトンの豊饒な海域を醸成し、そこに効率的なＦＡＤパッチを設営すれば、魚群密度が平常の約２０倍もの海域を具現できる。漁師達は何処にパッチが設置されているか予め承知している筈である。というのは、彼等は自分でそれを配置しているから当然であろう。彼等は魚群の探知を最低限の投資で済そうとしている訳で、いわば必然の帰結である。これにより魚獲に要するコストはこれ迄の約２／３。凡そ＄０．４０に（大洋魚業の平均である約＄０．６０／ｌｂから比較して）低減することが出来るのである。
【００１２】
パッチの最も適正なサイズと位置どりは、その海域の条件にもよるが、通常２５〜１２５平方マイルの間に収まるよう計画している。海洋中の水の滲透現象として、３０平方マイルのパッチでは先ず中心部で鉄分濃度の減少が始まり、それが続いて約１０日間で当初濃度の約２０％に迄下り、更に又約４０日で約１１％に迄、低減を続ける。酸素を圧入した海水によるラボテストの示す所では、溶解していた鉄分が約７．５ナノメーター（７．５×１０-9モル／リッター）から始って約３ナノメーター（３×１０-9モル／リッター）に至る迄約４０日間を要しながら低減する。そしてその原因は主としてキレート化合物（この場合はリグニン酸スルフォネート）の分解に依るものである。他のキレート化合物として、例えばエチレン、ジアミン、四酢酸（ＥＤＴＡ）が使用されることもある。
【００１３】
ＦＡＤパッチの海洋域での実行例としてガラバゴス群島の西、通称、南赤道潮流中の海域で展開された実験がある。他には、植物性プランクトンの群生を期待して積極的な実験を試みた例としては、：南極大陸の沖、南氷洋（Southern Ocean）、やアリューシャン列島の南部の太平洋北西部、そしてメキシコ湾内といった数ヶ所に実績がある。これ等の海域が選定されるための要因として、多量栄養素の濃度が充分かどうか、鉄分のような微量栄養素を添加しながらプランクトンの群生を維持するに適当かどうかをチェックするといった、いわば大洋化学一連の技術概念の展開が必要である。つまり、これ等の海域の潮流が、充分な滲透力を持つと決断するためには、上記の測定が不可欠で、栄養素の適正濃度として、好ましくは約４０日間にわたるパッチの寿命と見合うことを確認しなければならない。遠洋魚業であれ、回游魚群の捕獲であれ、魚群の密度として、陸地からの距離が通常である限り、ＦＡＤパッチを企画投資しても適当な見返りを得られるとの予測が得られなければならない。螺旋状又は平面状のパッチが、浮游するセンターブイの回りの海水中に据えつけられる。そのブイの内側及び外側の海水は、必ず頻繁にサンプリングされ、魚群密度と共に確認されていなければならない。このサンプリングは毎日実施する要あり、海水への肥料投入や魚獲作業よりも長期間、望ましくは約４０日間にわたり実行したい。
【００１４】
海水表面中及び変温層（thermo cline）下の両方に於ける魚群密度の頻繁なチェックは、漁労事業にかける投資効果を最高に持上る上で、絶対に必要である。魚群の集中度の推移は、当初の１０〜１５間にあっては徐々に日毎に増加し、その後ピークに達して、最後は植物プランクトン集積区（bloom）の消失に伴い、急激に落下するといった軌跡を辿るように推定されるのである。
【００１５】
パッチに舞込んで来る魚群を効率よく捕獲するためには、かねて用意してある漁労装備（fishing vessels）の類を稼動させるタイミングが重要で、上記魚群密度が上昇を始めた時点で魚獲作業をスタートさせるのがベストである。ギアの類や魚獲戦略、実際の捕獲作業等は、海洋の状況や魚群の種類によりかなり変更させる。魚獲量が減少して来た場合には、パッチの中に残っている魚獲には見切りをつけ、水域を更えて新しいパッチを用いながら別作業に移ることになろう。例えば、鮪のような回游魚の場合、アンチョビー（anchovetta）（鰯科の小魚）とか、それに類する網中飼畜の可能な魚類によりパッチ中で更に肥大化させれば、最高利益をあげることが出来よう。
【００１６】
栄養分の乏しい海洋にキレート化された鉄分を投入すれば、鉄分濃度が増加して約０．１ナノメーター（１ｌ当り０．１×１０-9モルの鉄分）から約４ナノメーターの鉄分（４×１０-9モル／ｌ）〜６ナノメーター（６×１０-9モル／ｌ）の範囲に迄、増加して来るに違いない。これは１０平方マイルの水域当り約１トンのキレート化した鉄分肥料と、或いは３０平方マイルのパッチ容積当り約３トンの同じ肥料を、約９０フィートの深さの変温層（thermo cline）に於いて所要することになる。
【００１７】
今回の魚獲量を増加させる技術は、魚獲に要する単位投資額当り（労務、魚の処理経費等）で検討した場合、大洋中からの魚獲量（総水あげ量）を決して増やしていないのである。大洋中からの水あげを継続的に増加させるためには、米国特許番号5,433,173, 5,535,701, 5,967,087及び6,408,729を充さなければならず、これ等をも参考にしながら、相互の協調が必要となるであろう。
【００１８】
本発明のバリエーションは、この分野の専門家により想到でき、且つ本発明は請求項によってのみ規定される。
【手続補正書】
【提出日】平成16年4月28日(2004.4.28)
【手続補正１】
【補正対象書類名】特許請求の範囲
【補正対象項目名】全文
【補正方法】変更
【補正の内容】
【特許請求の範囲】
【請求項１】
大洋中の魚獲を増強する方法であって、
（１）大洋表面の領域をテストして、各多量栄養素（macronutrient）が、植物プランクトンの生産が可能な第1の設定レベルにあることを確認する工程と、
（２）大洋表面の領域をテストして、第１の微量栄養素（micronutrient）が、植物プランクトンの生産を制限する第２の設定レベルで存在することを確認する工程と、
（３）大洋表面の領域をテストして、滲透度（rate of diffusion）が植物プランクトンのパッチ（patch）の生産を可能な第３の所定のレベルであることを確認する工程と、
（４）上記第1の微量栄養素を備えた肥料を施して、大洋表面の領域において植物プランクトンのパッチを作る工程と、
（５）このパッチの下側及び領域内で、魚を収穫する工程と、
を具備した方法。
【請求項２】
請求項１の方法において、上記肥料は適量の上記第1の微量栄養素を、植物プランクトン対して有効に働く形態で放出して、上記第1の微量栄養素が、沈澱により相当量上記大洋表面の領域の太陽光線が届く領域（photic zone）から離れることのないようにする方法。
【請求項３】
請求項１の方法において、上記パッチは、約２５平方マイル（６４．７５ｋｍ２）から１２５平方マイル（３２３．７５ｋｍ２）の間の大きさにある方法。
【請求項４】
請求項１の方法において、上記第３の設定レベルは、１日当り６．７平方マイル（１７．３５ｋｍ２）以下である方法。
【請求項５】
請求項１の方法において、上記肥料はキレート化合物を含有している方法。
【請求項６】
請求項２の方法において、上記キレート化合物はリグニン酸サルファネートを含有している方法。
【請求項７】
請求項１の方法において、上記第1の肥料は、僅少のミネラル類を含有している方法。
【請求項８】
請求項１の方法において、更にサンプリングの行動の中に適量の魚をパッチの内側とパッチの外側の両方から魚の量をサンプリングする工程を備えている方法。
【請求項９】
大洋中の魚獲を増強する方法であって、
（１）大洋表面の領域をテストして、各多量栄養素（macronutrient）が、植物プランクトンの生産が可能な第1の設定レベルにあることを確認する工程と、
（２）大洋表面の領域をテストして、第１の微量栄養素（first micronutrient）が、植物プランクトンの生産を制限する第２の設定レベルで存在することを確認する工程と、
（３）大洋表面の領域をテストして、滲透度（rate of diffusion）が植物プランクトンのパッチ（patch）の生産を可能な第３の所定のレベルであることを確認する工程と、
（４）大要表面の領域をサンプリングして、魚の濃度を決定する工程と、
（５）上記第1の微量栄養素を備えた肥料を施して、大洋表面の領域において植物プランクトンのパッチを作る工程と、
（６）このパッチの下側及び領域内で、魚を収穫する工程と、
を具備した方法。
【請求項１０】
請求項９の方法において、サンプリングする工程を繰返す方法。
【請求項１１】
第1の肥料を施して、大洋表面の領域に、植物プランクトンのパッチを作る工程を具備する魚誘引装置を作る方法であって、上記第1の肥料は第1の微量栄養素を含有し、上記第1のパッチは約０．５平方マイル（１．２９５ｋｍ２）以上の大きさにある方法。
【請求項１２】
請求項１１の方法において、上記肥料は適量の上記第1の微量栄養素を、植物プランクトン対して有効に働く形態で放出して、上記第1の微量栄養素が、沈澱により相当量上記大洋表面の領域の太陽光線が届く領域（photic zone）から離れることのないようにする方法。
【請求項１３】
請求項１１の方法において、上記パッチは、約２５平方マイル（６４．７５ｋｍ２）から１２５平方マイル（３２３．７５ｋｍ２）の間の大きさにある方法。
【請求項１４】
請求項１１の方法において、上記パッチからの上記第1の肥料の滲透度（rate of diffusion）は、上記パッチの生成後最初の１０日間は１日当り６．７平方マイル（１７．３５ｋｍ２）以下である方法。
【請求項１５】
請求項１１の方法において、上記第1の肥料は鉄分を含有している方法。
【請求項１６】
請求項１５の方法において、前記第１の肥料はキレート化合物を含有している方法。
【請求項１７】
請求項１６の方法において、前項キレート化合物はリグニン酸硫酸根（lignin acid ulfonate）を含有している方法。
【請求項１８】
請求項１１の方法において、上記第1の肥料中は、わずかのミネラル類を含んでいる方法。
【請求項１９】
請求項１１の方法において、前記のパッチから周囲の海水内へ上記第1の微量成分が滲出する際に、上記パッチの生成後約１０日内に、そのパッチの中心部の上記第1の微量成分が当初の濃度の約２０％より少なくなるように減少することはない方法。
【請求項２０】
請求項１１の方法において、前記のパッチから周囲の海水内へ上記第1の微量成分が滲出する際に、上記パッチの生成後約４０日内に、そのパッチの中心部の上記第1の微量成分が当初の濃度の約１１％より少なくなるように減少はしない方法。
【国際調査報告】
2006506090.tif 000002
2006506090.tif 000003
2006506090.tif 000004